(57)【特許請求の範囲】
【請求項１】
トレッド部に形成され、タイヤ周方向に沿って延びる複数の周方向溝と、
前記複数の周方向溝のうちのタイヤ装着外側の最外周方向溝よりもタイヤ装着外側に配置され、タイヤ周方向に陸部が連続するリブと、
一端が前記最外周方向溝に開口されると共に、タイヤ幅方向に対して一方向へ傾斜されてタイヤ装着外側へ延出された他端がタイヤ接地端よりも前記最外周方向溝側のリブ内で終端され、前記最外周方向溝側から前記終端側へ向けて溝幅が広くされ、かつ、前記最外周方向溝側の溝底が前記リブ内の終端側の溝底より浅くされたラグ溝と、
前記最外周方向溝と前記タイヤ接地端との間に形成され、タイヤ周方向に沿って延び、且つ前記ラグ溝と交差する交差部を有し、溝深さが前記最外周方向溝の溝深さ及び前記交差部における前記ラグ溝の溝深さより浅くされたショルダー周方向細溝と、
を備え、
前記ショルダー周方向細溝が、前記交差部における前記ラグ溝の溝壁と前記ショルダー周方向細溝との交差角部のうち角度が鋭角の交差角部から、前記ショルダー周方向細溝の溝壁と踏面との間の角部の角度がタイヤ周方向に徐々に大きくなるように面取りされ、前記交差角部のうち角度が鈍角の交差角部から、前記ショルダー周方向細溝の溝と前記踏面との間の角部の角度がタイヤ周方向に徐々に小さくなるように面取りされた空気入りタイヤ。
【請求項２】
前記交差角部のうち角度が鋭角の交差角部が、踏面に対して面取りされた請求項１に記載の空気入りタイヤ。
【発明の詳細な説明】
【技術分野】
【０００１】
本発明は、空気入りタイヤに係り、特には、タイヤ周方向の複数形成されたトレッドパターンを有する空気入りタイヤに関する。
【背景技術】
【０００２】
通常、空気入りタイヤにおいて、２本の周方向溝の間に形成される陸部は、ラグ溝により分断されていないリブ形状の場合には、ラグ溝により分断されてブロック化された場合と比較して剛性が高くなり、ドライ路面における走行安定性が確保される。一方、リブ形状の陸部においても、排水性を確保するため、一方の周方向溝に開口するラグ溝が形成される場合がある（例えば、特許文献１参照）。
【０００３】
しかしながら、上記のラグ溝は、ラグ溝を起点とした欠けや剥がれなどのゴム損傷（以下このようなゴム損傷を「チャンク」という）が生じやすいといった問題があった。
【先行技術文献】
【特許文献】
【０００４】
【特許文献１】特開２００９−６８３３号
【発明の概要】
【発明が解決しようとする課題】
【０００５】
本発明は上記事実に鑑みてなされたものであって、タイヤリブに形成されたラグ溝のチャンクを抑制することの可能な空気入りタイヤを提供することを目的とする。
【課題を解決するための手段】
【０００６】
本発明の請求項１に係る空気入りタイヤは、トレッド部に形成され、タイヤ周方向に沿って延びる複数の周方向溝と、前記複数の周方向溝のうちのタイヤ装着外側の最外周方向溝よりもタイヤ装着外側に配置され、タイヤ周方向に陸部が連続するリブと、一端が前記最外周方向溝に開口されると共に、タイヤ幅方向に対して一方向へ傾斜されてタイヤ装着外側へ延出された他端がタイヤ接地端よりも前記最外周方向溝側のリブ内で終端され、前記最外周方向溝側から前記終端側へ向けて溝幅が広くされ、かつ、前記最外周方向溝側の溝底が前記リブ内の終端側の溝底より浅くされたラグ溝と、前記最外周方向溝と前記タイヤ接地端との間に形成され、タイヤ周方向に沿って延び、且つ前記ラグ溝と交差する交差部を有し、溝深さが前記最外周方向溝の溝深さ及び前記交差部における前記ラグ溝の溝深さより浅くされたショルダー周方向細溝と、を備え、前記ショルダー周方向細溝が、前記交差部における前記ラグ溝の溝壁と前記ショルダー周方向細溝との交差角部のうち角度が鋭角の交差角部から、前記ショルダー周方向細溝の溝壁と踏面との間の角部の角度がタイヤ周方向に徐々に大きくなるように面取りされ、前記交差角部のうち角度が鈍角の交差角部から、前記ショルダー周方向細溝の溝と前記踏面との間の角部の角度がタイヤ周方向に徐々に小さくなるように面取りされている。
【０００７】
請求項１の空気入りタイヤのトレッド部には、複数の周方向溝よりも車両装着時におけるタイヤ装着外側にリブが形成されている。このリブには、一端が前記複数の周方向溝のうちのタイヤ装着外側の最外周方向溝に開口すると共に他端がリブ内で終端するラグ溝が形成されている。
【０００８】
上記のように、一端が最外側周方向溝に開口され、他端がリブ内で終端するラグ溝を形成することにより、リブの剛性を確保しつつ排水性を向上させることができる。一方、ラグ溝の最外周方向溝側は、溝幅が終端側より狭く、且つ溝底が終端側より浅いことから剛性が強くなる。したがって、リブ内における最外周方向溝側のゴム移動量が抑制されて歪みが減少し、ラグ溝を起点としたチャンクを抑制することができる。
【００１０】
最外周方向溝とタイヤ接地端との間にショルダー周方向細溝を設け、ショルダー周方向細溝が交差部においてラグ溝と交差することで、剛性の低下を抑制しつつ排水性の向上が図られる。
【００１２】
交差部においてラグ溝と交差するショルダー周方向細溝の溝壁と踏面との間の角部に上記の面取りがなされていることで、チャンクを抑制することができる。
【００１３】
請求項２に係る空気入りタイヤは、前記交差角部のうち角度が鋭角の交差角部が、踏面に対して面取りされている。
【００１４】
一般的に、トレッド部のタイヤ周長は、タイヤ赤道面に近い程長く、タイヤ接地端よりもタイヤ赤道面側のタイヤ接地圧が高い。本発明の構成では、ラグ溝が、タイヤ接地端よりもタイヤ赤道面側となる最外周方向溝に開口する際、溝底が終端よりも浅くされているので、最外周方向溝側のリブ端における引き摺りが抑制され、当該リブ端における偏摩耗を抑制することができる。また、タイヤ外周端側にタイヤ周方向に連続する陸部を形成することができるので、タイヤ外周端側における剛性が維持され、効果的に旋回時のタイヤのグリップ力を向上させることができる。
【発明の効果】
【００１５】
以上説明したように、本発明の空気入りタイヤは上記の構成としたので、排水性の向上が図られると共に、最外周方向溝よりもタイヤ装着外側のリブ内における最外周方向溝側のゴム移動量が抑制されて歪みが減少し、ラグ溝を起点としたチャンクを抑制することができる。
【００１８】
請求項２に記載の空気入りタイヤは上記の構成としたので、リブ端の偏摩耗を抑制することができると共に、効果的にタイヤのグリップ力を向上させることができる。
【図面の簡単な説明】
【００１９】
【図１】本実施形態に係る空気入りタイヤのタイヤ径方向断面図である。
【図２】本実施形態に係る空気入りタイヤのトレッドの平面図である。
【図３】本実施形態に係る空気入りタイヤのトレッドの一部拡大平面図である。
【図４】図２のＡ−Ａ線の断面図である。
【図５】本実施形態に係る空気入りタイヤの一部拡大斜視図である。
【図６】図２のＢ−Ｂ線の断面図である。
【図７】本実施形態の変形例に係る空気入りタイヤのトレッドの平面図である。
【図８】本実施形態の変形例に係る空気入りタイヤの一部拡大斜視図である。
【発明を実施するための形態】
【００２０】
以下、図面にしたがって、本発明の実施形態に係る空気入りタイヤ１０について説明する。
【００２１】
なお、図中における矢印ＩＮは、タイヤを車両に装着した時（以下「タイヤ装着時」という）のタイヤ幅方向の内側（車内側）（以下「タイヤ装着内側」という）を示し、矢印ＯＵＴは、タイヤ装着時のタイヤ幅方向の外側（車外側）（以下「タイヤ装着外側」という）を示す。また、一点鎖線ＣＬは、タイヤ赤道面を示す。
【００２２】
図１に示されるように、本実施形態の空気入りタイヤ１０は、一対のビード部１２と、一対のサイドウォール部１４と、トレッド部１６とを有している。ビード部１２には、少なくとも１本の環状のビードコア１２Ａが埋設されている。一対のビードコア１２Ａ間には、カーカス１８がトロイダル状に跨るように設けられている。このカーカス１８は、ビードコア１２Ａに対して内側から外側に巻き返されている。カーカス１８のタイヤ径方向外側には、ベルト層１９が設けられている。
【００２３】
図２には、空気入りタイヤ１０のトレッド部１６が示されている。なお、トレッド部１６のタイヤ接地端１６Ｅは、空気入りタイヤ１０をＪＡＴＭＡ ＹＥＡＲ ＢＯＯＫ（日本自動車タイヤ協会規格、２０１１年度版）に規定されている標準リムに装着し、ＪＡＴＭＡ  ＹＥＡＲ  ＢＯＯＫでの適用サイズ・プライレーティングにおける最大負荷能力（内圧−負荷能力対応表の太字荷重）に対応する空気圧（最大空気圧）の１００％の内圧を充填し、最大負荷能力を負荷したときのものである。使用地又は製造地において、ＴＲＡ規格、ＥＴＲＴＯ規格が適用される場合は各々の規格に従う。
【００２４】
本実施形態の空気入りタイヤ１０は、タイヤ赤道面ＣＬを挟んで左右非対称のパターン形状とされており、図面左側がタイヤ装着内側、図面右側がタイヤ装着外側となるように装着される。なお、タイヤ回転方向は、矢印Ｒで示される方向となるように（図の下側が踏み込み側、上側が蹴り出し側となるように）装着されることが好ましい。タイヤ回転方向については、必ずしも前述の方向性をもって装着する必要はなく、前後方向を逆に装着してもよい。
【００２５】
本実施形態の空気入りタイヤ１０のトレッド部１６には、タイヤ周方向に沿って延びる複数（本実施形態では３本）の周方向溝としての、最内側周方向主溝２０、中央周方向主溝２２、及び、最外側周方向主溝２４が、形成されている。
【００２６】
一の周方向溝としての最内側周方向主溝２０は、３本の周方向溝のなかで最もタイヤ装着内側に形成されている。他の周方向溝としての中央周方向主溝２２は、最内側周方向主溝２０よりもタイヤ装着外側で、かつタイヤ赤道面ＣＬよりもタイヤ装着内側に形成されている。最外側周方向主溝２４は、中央周方向主溝２２よりもタイヤ装着外側で、かつタイヤ赤道面ＣＬよりもタイヤ装着外側に形成されている。
【００２７】
最内側周方向主溝２０よりもタイヤ装着内側には、内側周方向細溝２６が形成されている。内側周方向細溝２６は、最内側周方向主溝２０よりも溝幅が狭く、かつ溝深さが浅く形成されている。
【００２８】
最外側周方向主溝２４よりもタイヤ装着外側には、ショルダー周方向細溝２８が形成されている。ショルダー周方向細溝２８の溝底における溝幅Ｗ３は、最外側周方向主溝２４の溝幅Ｗ０よりも狭く形成されている。また、ショルダー周方向細溝２８の溝深さＨ３は、最外側周方向主溝２４の溝深さＨ０よりも浅く形成されている。ショルダー周方向細溝２８を構成する溝壁２８Ａ、２８Ｂは、溝底との間の角度が９０度よりも大きくなっている。したがって、ショルダー周方向細溝２８は、溝底から踏面に向かって溝幅が広くなっている。溝壁２８Ａの壁面角度α（溝底と溝壁２８との間の角度、図４参照）は、図２に示されるように、踏み込み側が蹴り出し側よりも大きく、第４リブ４０の溝壁２８Ａとの間の稜線は、踏み込み側から蹴り出し側へ向かうにつれてタイヤ幅方向外側へ傾斜している。溝壁２８Ｂの壁面角度β（図４参照）は、蹴り出し側が踏み込み側よりも大きく、第４リブ４０の溝壁２８Ｂとの間の稜線は、踏み込み側から蹴り出し側へ向かうにつれてタイヤ幅方向内側へ傾斜している。
【００２９】
なお、ショルダー周方向細溝２８は、溝幅が３本の周方向主溝（最内側周方向主溝２０、中央周方向主溝２２、及び、最外側周方向主溝２４）よりも狭く、溝深さが浅い点で、周方向主溝と区別される。
【００３０】
内側周方向細溝２６と最内側周方向主溝２０の間には、第１リブ３２が形成されている。第１リブ３２には、溝が形成されていない。第１リブ３２のリブ幅は、トレッド部１６に形成される他のリブよりも狭幅に形成されている。
【００３１】
最内側周方向主溝２０と中央周方向主溝２２の間には、第２リブ３４が形成されている。第２リブ３４には、第２ラグ溝３６が形成されている。第２ラグ溝３６は、一端３６Ａが最内側周方向主溝２０に開口し、最内側周方向主溝２０から中央周方向主溝２２側へ向かって延びている。第２ラグ溝３６の他端３６Ｂは、中央周方向主溝２２へ開口せず、第２リブ３４内で終端している。したがって、第２リブ３４のタイヤ赤道面ＣＬに近い側には、タイヤ周方向に直線状に連続する陸部が形成されている。第２ラグ溝３６は、第２リブ３４のタイヤ幅方向の中心よりもタイヤ赤道面ＣＬ側で終端している。第２ラグ溝３６の全長Ｌ０は、第２リブ３４のタイヤ幅方向長さＬの５０％〜８０％の範囲内であることが好ましい。
【００３２】
第２ラグ溝３６は、タイヤ幅方向に対して僅かに傾斜している。最内側周方向主溝２０と第２ラグ溝３６の間に形成される角部のうちの鋭角側（図２では、第２ラグ溝３６の上側）は、面取りされて、面取部３６Ｍが形成されている。
【００３３】
図５に示されるように、第２ラグ溝３６は、中央周方向主溝２２側の溝幅Ｗ５が最内側周方向主溝２０側の溝幅Ｗ６よりも狭い先端部３６Ｓとされている。先端部３６Ｓは、面取部３６Ｍが形成されていない側の溝壁に溝幅変化部としてのＲ段部３６Ｄを形成することにより狭幅に構成されている。Ｒ段部３６Ｄは、先端部３６Ｓからの連結角部が滑らかな湾曲形状のＲ状とされている。第２ラグ溝３６の溝底は、最内側周方向主溝２０側が最も深く、先端部３６Ｓ側へ向かって徐々に浅くなっている。
【００３４】
先端部３６Ｓの長さＬ１は、第２ラグ溝３６の全長Ｌ０の２０％〜５０％程度であることが好ましい。また、先端部３６Ｓの溝幅Ｗ５（中央周方向主溝２２側の溝幅Ｗ５）は、第２ラグ溝３６の一端３６Ａ側の溝幅Ｗ６の２０％〜６０％程度であることが好ましい。
【００３５】
中央周方向主溝２２と最外側周方向主溝２４との間には、第３リブ３８が形成されている。タイヤ赤道面ＣＬは、第３リブ３８上の中央周方向主溝２２側に配置されている。第３リブ３８には、サイプ３８Ｓが形成されている。サイプ３８Ｓは、最外側周方向主溝２４に開口し、最外側周方向主溝２４から中央周方向主溝２２側へ向かって延びている。サイプ３８Ｓは、接地により閉鎖される溝幅とされている。サイプ３８Ｓを構成する溝壁には、サイプ３８Ｓに沿って溝壁の上部が面取りされて、面取部３８Ａ、３８Ｂが形成されている。サイプ３８Ｓは、中央周方向主溝２２へ開口せず、第３リブ３８内で終端している。したがって、第３リブ３８のタイヤ赤道面ＣＬに近い側の端辺部には、タイヤ周方向に直線状に連続する陸部が形成されている。
【００３６】
最外側周方向主溝２４とショルダー周方向細溝２８との間には、第４陸部４０が形成されている。また、第４陸部４０よりもタイヤ装着外側のタイヤ接地端１６Ｅ側には、外側リブ４６が形成されている。第４陸部４０には、最外側周方向主溝２４からタイヤ装着外側へ向かって延出する第４ラグ溝４２が形成されている。第４ラグ溝４２は直線状とされ、一端４２Ａが最外側周方向主溝２４に開口され、ショルダー周方向細溝２８を横断して、他端（以下この他端を「終端部４２Ｂ」という）が外側リブ４６内に延出されている。第４ラグ溝４２の一端４２Ａは、サイプ３８Ｓの延長状に配置されている。また、第４ラグ溝４２は、サイプ３８Ｓと同方向に同程度傾斜しており、最外側周方向主溝２４を介して、サイプ３８Ｓと連続するような意匠を構成している。
【００３７】
第４ラグ溝４２は、ショルダー周方向細溝２８と交差し、外側リブ４６内の終端部４２Ｂで終端している。終端部４２Ｂは、タイヤ装着外側のタイヤ接地端１６Ｅよりもタイヤ赤道面ＣＬ側に配置されている。外側リブ４６は、タイヤ周方向に直線状に連続する陸部を有している。図３にも示されるように、第４ラグ溝４２の溝幅は、最外側周方向主溝２４への開口部分である一端４２Ａで最も狭いＷ１とされ、外側リブ４６内の終端部４２Ｂにおいて最も広くなるＷ２となっている。第４ラグ溝４２は、一端４２Ａから終端部４２Ｂへ向かって漸次広がるように形成されている。
【００３８】
図４に示されるように、第４ラグ溝４２の溝深さＨ４は、最外側周方向主溝２４の溝深さＨ０よりも浅く、ショルダー周方向細溝２８の溝深さＨ３よりも深くなっている。第４ラグ溝４２とショルダー周方向細溝２８とが交差する交差部４５においては（図２参照）、溝深さはＨ４となっている。したがって、ショルダー周方向細溝２８の溝底は、交差部４５においてショルダー周方向細溝２８のその他の部分よりも深くなっている。なお、図４では、溝深さの比較を容易にするために、タイヤ接地面は模式的に平面で示している。
【００３９】
図６示されるように、第４ラグ溝４２の一端４２Ａ側には、溝が底上げされた溝底上部４４が形成されている。溝底上部４４の溝深さＨ５は、第４ラグ溝４２の溝深さＨ４よりも浅く、溝底上部４４は、一端４２Ａから第４陸部４０の中央近辺まで形成されている。なお、図６についても、溝深さの比較を容易にするために、タイヤ接地面は模式的に平面で示している。
【００４０】
第４陸部４０及び外側リブ４６において、第４ラグ溝４２とショルダー周方向細溝２８の間に形成される交差部４５の角部のうち鋭角となる側（以下、鋭角側の角部を「鋭角部４０Ａ」といい、鈍角側の角部を「鈍角部４０Ｂ」という）には、各々面取部４０Ｍ、４６Ｍが形成されている。
【００４１】
外側リブ４６の第４ラグ溝４２からの延長部分には、摩耗インジケーター４８が形成されている。摩耗インジケーター４８は、第４ラグ溝４２の終端部４２Ｂと離間して形成された２個の穴で構成されている。この摩耗インジケーター４８により、通常タイヤ周方向主溝に設けられる摩耗インジケーターとは別に、外側リブ４６の摩耗状態を知ることができる。
【００４２】
次に、本実施形態の空気入りタイヤ１０の作用を説明する。
【００４３】
本実施形態の空気入りタイヤ１０では、トレッド部１６に最内側周方向主溝２０、中央周方向主溝２２、及び、最外側周方向主溝２４が、形成されているので、基本的な排水性、ドライ、ウエット走行時の直進安定性が確保される。
【００４４】
また、本実施形態の空気入りタイヤ１０のトレッド部１６には、タイヤ装着外側に、タイヤ周方向に陸部の連続する外側リブ４６が配置されている。したがって、タイヤ装着外側の剛性が確保され、コーナリング性能を高くすることができる。また、外側リブ４６に延出された第４ラグ溝４２は、タイヤ接地端１６Ｅまで達することなく終端している。したがって、効果的に外側リブ４６の剛性を確保することができる。さらに、第４ラグ溝４２の溝幅は、外側リブ４６内で最大のＷ２となっている。これにより、溝幅の広い部分で外側リブ４６側の水をとらえて、最外側周方向主溝２４へ流すことができ、外側リブ４６側の排水性を向上させることができる。
【００４５】
また、第４ラグ溝４２には、一端４２Ａ側に溝底上部４４が形成されている。したがって、排水性を確保しつつ第４陸部４０の剛性を維持することができる。また、溝底上部４４は、一端４２Ａ側に形成されている。したがって、タイヤ装着外側の溝深さが確保され、タイヤ装着外側においてより多くの水を捕らえることができる。
【００４６】
また、本実施形態の空気入りタイヤ１０には、外側リブ４６に隣接してショルダー周方向細溝２８が形成されている。したがって、外側リブ４６の排水をショルダー周方向細溝２８で行うことができ、排水性を向上させることができる。一方、ショルダー周方向細溝２８は、最外側周方向主溝２４よりも溝幅が狭く、最外側周方向主溝２４及び第４ラグ溝４２よりも溝幅が狭い。したがって、外側リブ４６の剛性の低下を抑制することができる。
【００４７】
また、ショルダー周方向細溝２８を形成することにより、コーナリング時におけるバックリングも抑制することができる。ここでのバックリングとは、コーナリング時にタイヤ装着外側の接地端の付近を支点にして、タイヤが外側に倒れ込もうとしつつトレッド面は路面から浮き上がり、タイヤ装着内側の接地圧が抜ける現象である。本実施形態の空気入りタイヤ１０では、ショルダー周方向細溝２８が形成されていることにより、トレッド面の曲げ剛性が低くなることから、タイヤ装着内側、特に陸部４０が接地しやすくなり、タイヤ装着内側のグリップ力の低下を抑制することができる。
【００４８】
また、本実施形態では、第３リブ３８にサイプ３８Ｓが形成されているので、第３リブ３８のタイヤ赤道面ＣＬから遠い側のリブ端での偏摩耗を抑制することができる。すなわち、第３リブ３８では、最外側周方向主溝２４側のリブ端がタイヤ赤道面ＣＬから遠いため、タイヤ周長が短くなって引き摺りが生じやすいが、最外側周方向主溝２４に開口するにサイプ３８Ｓが形成されているので、引き摺りが抑制され、偏摩耗を抑制することができる。また、サイプ３８Ｓが、中央周方向主溝２２へ開口していないので、タイヤ周方向で直線状に連続する陸部が形成される。したがって、第３リブ３８において、タイヤ赤道面ＣＬに近い側での剛性が確保され、操縦安定性を維持することができる。また、サイプ３８Ｓに沿って面取部３８Ａ、３８Ｂが形成されているので、サイプ３８Ｓのタイヤ周方向前後のゴムの欠けや剥がれなどのチャンクを抑制することができる。
【００４９】
また、本実施形態では、第２リブ３４には、第２ラグ溝３６が形成されているので、排水性を高めることができる。また、第２ラグ溝３６は、タイヤ赤道面ＣＬ側の方の溝幅が狭く、溝深さが浅くなっているので、接地圧の高い側の剛性が維持されて、チャンクの発生を抑制することができる。また、最内側周方向主溝２０と第２ラグ溝３６の間に形成される角部のうちの鋭角側に面取部３６Ｍが形成されているので、当該角部におけるチャンクを抑制することができる。また、第２ラグ溝３６は、タイヤ赤道面ＣＬから遠い側の最内側周方向主溝２０に開口している。一般的に、トレッド部のタイヤ周長は、タイヤ赤道面ＣＬに近い程長くタイヤ接地圧が高い。したがって、タイヤ赤道面から遠い側の第２リブ３４のリブ端における引き摺りが抑制され、偏摩耗を抑制することができる。また、第２ラグ溝３６は、中央周方向主溝２２へ開口していないので、中央周方向主溝２２側のリブ端にタイヤ周方向で直線状に連続する陸部が形成される。したがって、タイヤ赤道面ＣＬに近い側に、剛性が確保され、操縦安定性を維持することができる。
【００５０】
また、本実施形態では、第４ラグ溝４２とショルダー周方向細溝２８の間に形成される交差部４５の角部のうち鋭角となる側の鋭角部４０Ａに、各々面取部４０Ｍ、４６Ｍが形成されている。したがって、当該角部におけるゴムの欠けや剥がれなどのチャンクを抑制することができる。
【００５１】
なお、本実施形態では、第４ラグ溝４２の一端４２Ａ側の溝幅Ｗ１を終端部４２Ｂの溝幅Ｗ２よりも広い構成としたが、必ずしもこのようにする必要はなく、溝幅Ｗ１とＷ２とが同程度の構成でも、溝幅Ｗ１がＷ２よりも幅広の構成でもよい。
【００５２】
また、本実施形態では、ショルダー周方向細溝２８を形成したが、ショルダー周方向細溝２８のない構成とすることもできる。
【００５３】
また、本実施形態では、第４ラグ溝４２は、ショルダー周方向細溝２８と交差して外側リブ４６へ達している構成について説明したが、第４ラグ溝４２は必ずしもショルダー周方向細溝２８と交差する必要はない。図７に示すように、ショルダー周方向細溝２８に開口しているだけで、外側リブ４６側へ突き出ない構成にしてもよい。また、ショルダー周方向細溝２８の手前の第４陸部４０内で終端する構成にしてもよい。
【００５４】
また、上記各実施形態では、第４ラグ溝４２は、タイヤ幅方向に対して傾斜しているが、必ずしもタイヤ幅方向に対して傾斜している必要はなく、第４ラグ溝４２をタイヤ幅方向と平行に配置してもよい。
【００５５】
また、本実施形態では、最内側周方向主溝２０と第２ラグ溝３６の間に形成される角部のうちの鋭角側に面取部３６Ｍを形成したが、図８に示すように、面取部３６Ｍのない構成としてもよい。
【００５６】
また、本実施形態では、左右非対称のトレッドパターンを例に説明したが、本発明は、左右対称のトレッドパターンに適用してもよい。
【符号の説明】
【００５７】
１０   空気入りタイヤ
１６Ｅ タイヤ接地端
１６   トレッド部
２０   最内側周方向主溝（一の周方向溝）
２２   中央周方向主溝（他の周方向溝）
３４   第２リブ（リブ）
３６   第３ラグ溝（ラグ溝）
３６Ａ  一端
３６Ｂ  他端
３６Ｄ 段部（溝幅変化部）
３６Ｍ 面取部
【図１】
0005930710.tif 000002
【図２】
0005930710.tif 000003
【図３】
0005930710.tif 000004
【図４】
0005930710.tif 000005
【図５】
0005930710.tif 000006
【図６】
0005930710.tif 000007
【図７】
0005930710.tif 000008
【図８】
0005930710.tif 000009